(57)【要約】【課題】  バインダーの開放防止装置の提供。【解決手段】  バインダーの面板にＣ形クランプが設けられてファイルデータの装丁、挟持に用いられるバインダーの開放防止装置において、該バインダーのＣ形クランプに対応する対応表紙にスリットが設けられ、バインダーを閉じる時、該Ｃ形クランプが該スリットより露出し、さらに固定装置によりＣ形クランプを固定することで開放防止の機能を具備することを特徴とする。【選択図】        図２
2005313525.tif 000002
【特許請求の範囲】
【請求項１】
表表紙、背、裏表紙を折り曲げて成り断面がコ形を呈し、内面にファイルデータを挟持するＣ形クランプが設けられたバインダーに使用されるバインダーの開放防止装置において、
該バインダーのＣ形クランプに対向する表紙にスリットが設けられ、バインダーが閉じ合わされる時、該Ｃ形クランプがスリットの外部に露出し、さらに固定装置によりＣ形クランプが固定されてバインダーの開放が防止されることを特徴とする、バインダーの開放防止装置。
【請求項２】
請求項１記載のバインダーの開放防止装置において、固定装置がスリット内に設けられた位置決め凸体とされ、Ｃ形クランプを係止することを特徴とする、バインダーの開放防止装置。
【請求項３】
請求項１記載のバインダーの開放防止装置において、Ｃ形クランプの高さが背の幅より大きいことを特徴とする、バインダーの開放防止装置。
【請求項４】
請求項１記載のバインダーの開放防止装置において、スリットの長さがＣ形クランプの外径より小さいことを特徴とする、バインダーの開放防止装置。
【請求項５】
請求項１記載のバインダーの開放防止装置において、Ｃ形クランプが裏表紙に設けられ、スリットが表表紙に設けられたことを特徴とする、バインダーの開放防止装置。
【請求項６】
請求項１記載のバインダーの開放防止装置において、Ｃ形クランプが表表紙に設けられ、スリットが裏表紙に設けられたことを特徴とする、バインダーの開放防止装置。
【請求項７】
請求項１記載のバインダーの開放防止装置において、バインダーの表表紙と裏表紙の間に開口部分に側面板が設けられて閉じ合わせ時に直方体形状を形成することを特徴とする、バインダーの開放防止装置。
【請求項８】
請求項７記載のバインダーの開放防止装置において、開口部分の側面板、及び背と表表紙の間の部分、背と裏表紙の間の部分に手で保持するための孔が設けられたことを特徴とする、バインダーの開放防止装置。
【請求項９】
請求項７記載のバインダーの開放防止装置において、開口部分の側面板の外側にカバー面板が設けられ、該カバー面板のＣ形クランプに対応する部分にスリットが設けられ、バインダー閉合時にＣ形クランプの上部がカバー面板のスリットを通過して更に表表紙のスリットを通過した後、固定されることを特徴とする、バインダーの開放防止装置。
【請求項１０】
請求項７記載のバインダーの開放防止装置において、バインダーの表表紙と裏表紙の上下位置に上面板と下面板が設けられ、該上面板と下面板の三辺に内向きに折り曲げ可能な折板が設けられてバインダー閉じ合わせ時に完全な閉合状態を形成することを特徴とする、バインダーの開放防止装置。
【請求項１１】
請求項７記載のバインダーの開放防止装置において、バインダーのカバー面板と表表紙の大きさが同じとされたことを特徴とする、バインダーの開放防止装置。
【請求項１２】
請求項７記載のバインダーの開放防止装置において、バインダーのカバー面板に突出するタブが設けられ、側面板とカバー面板の該タブに対応する位置に孔が設けられたことを特徴とする、バインダーの開放防止装置。
【請求項１３】
請求項７記載のバインダーの開放防止装置において、バインダーのカバー面板のＣ形クランプに対応する部分にスリットと位置決め凸体が設けられ、表表紙の対応位置にもスリットが設けられ、Ｃ形クランプの上部が表表紙のスリットを通過してからカバー面板のスリットを通過した後、位置決め凸体により固定されることを特徴とする、バインダーの開放防止装置。
【請求項１４】
請求項７記載のバインダーの開放防止装置において、バインダーの表表紙と折板の対応部分に挿入溝と挿入片が設けられたことを特徴とする、バインダーの開放防止装置。
【請求項１５】
請求項７記載のバインダーの開放防止装置において、バインダーの長いカバー面板と折板の対応部分に挿入溝と挿入片が設けられたことを特徴とする、バインダーの開放防止装置。
【請求項１６】
請求項７記載のバインダーの開放防止装置において、バインダーの表表紙の内面にポケットとホルダバンドが設けられたことを特徴とする、バインダーの開放防止装置。
【請求項１７】
請求項７記載のバインダーの開放防止装置において、バインダーの長いカバー面板の内面にポケットとホルダバンドが設けられたことを特徴とする、バインダーの開放防止装置。
【請求項１８】
請求項７記載のバインダーの開放防止装置において、バインダーの対応する折板の間に連繋紐が設けられたことを特徴とする、バインダーの開放防止装置。
【請求項１９】
請求項１又は請求項７記載のバインダーの開放防止装置において、バインダーの背に把手が設けられたことを特徴とする、バインダーの開放防止装置。
【請求項２０】
請求項１又は請求項７記載のバインダーの開放防止装置において、バインダーがポリプロピレン三層発泡板で形成されたことを特徴とする、バインダーの開放防止装置。
【発明の詳細な説明】
【技術分野】
【０００１】
本発明は一種のバインダーの開放防止装置に係り、特に、該バインダーが表表紙、背、及び裏表紙を具え、該バインダーの裏表紙の内側側辺部分にＣ形クランプが設けられ、該表表紙の該Ｃ形クランプに対応する部分にスリットが設けられ、該Ｃ形クランプの高さが背の幅より大きく、該スリットの長さがＣ形クランプの外径より小さく、表表紙が閉じられる時、該Ｃ形クランプの上部がスリットの外に露出して固定装置により固定され、該固定装置がスリット内にあって位置決め凸体を具え、該位置決め凸体がＣ形クランプに係合することで、表表紙の任意の開放を防止する機能を達成した、バインダーの開放防止装置に関する。
【背景技術】
【０００２】
周知のバインダー１０は、図１に示されるように、複合紙板或いはプラスチック板で形成され、該バインダー１０の中間に適当な幅の背１１が設けられ、並びに背１１の両側が折り線１２、１３を介して表表紙１４と裏表紙１５に接続され、該バインダー１０の裏表紙１５の内面側辺にＣ形クランプ１６が設けられ、ファイルデータを挟持するのに用いられる。上述の伝統的なバインダー１０は、実際の応用時に、表表紙１４を容易に開放でき、固定不能であり、そのことが解決を要する問題と欠点となっている。
【０００３】
このような伝統的なバインダーの表紙を固定できない問題を改善するために、例えば、一般に手帳に使用されているボタンによる止め合わせや、郵便物に用いられる紐による結束方式、或いは一般にＣＤファイルに使用される粘着帯による粘着方式、或いは一般の日記に常用されているロック方式等を応用すると、製造のコストが大幅に増加し、また製造過程が煩瑣となる。
【発明の開示】
【発明が解決しようとする課題】
【０００４】
伝統的なバインダーの表紙を固定できない問題を改善するために、本発明は、一種のバインダーの開放防止装置を提供することを目的とする。本発明は、バインダーの表表紙の、裏表紙に取り付けられたＣ形クランプに対応する位置にスリットを設けて、表表紙を閉じる時、該Ｃ形クランプが該スリットより一部露出するようにすると共に、スリットに位置決め凸体のような固定装置を設けて、それをスリットと係合するようにし、表表紙を任意に開放できないようにしてこの目的を達成する。
【課題を解決するための手段】
【０００５】
請求項１の発明は、表表紙、背、裏表紙を折り曲げて成り断面がコ形を呈し、内面にファイルデータを挟持するＣ形クランプが設けられたバインダーに使用されるバインダーの開放防止装置において、
該バインダーのＣ形クランプに対向する表紙にスリットが設けられ、バインダーが閉じ合わされる時、該Ｃ形クランプがスリットの外部に露出し、さらに固定装置によりＣ形クランプが固定されてバインダーの開放が防止されることを特徴とする、バインダーの開放防止装置としている。
請求項２の発明は、請求項１記載のバインダーの開放防止装置において、固定装置がスリット内に設けられた位置決め凸体とされ、Ｃ形クランプを係止することを特徴とする、バインダーの開放防止装置としている。
請求項３の発明は、請求項１記載のバインダーの開放防止装置において、Ｃ形クランプの高さが背の幅より大きいことを特徴とする、バインダーの開放防止装置としている。
請求項４の発明は、請求項１記載のバインダーの開放防止装置において、スリットの長さがＣ形クランプの外径より小さいことを特徴とする、バインダーの開放防止装置としている。
請求項５の発明は、請求項１記載のバインダーの開放防止装置において、Ｃ形クランプが裏表紙に設けられ、スリットが表表紙に設けられたことを特徴とする、バインダーの開放防止装置としている。
請求項６の発明は、請求項１記載のバインダーの開放防止装置において、Ｃ形クランプが表表紙に設けられ、スリットが裏表紙に設けられたことを特徴とする、バインダーの開放防止装置としている。
請求項７の発明は、請求項１記載のバインダーの開放防止装置において、バインダーの表表紙と裏表紙の間に開口部分に側面板が設けられて閉じ合わせ時に直方体形状を形成することを特徴とする、バインダーの開放防止装置としている。
請求項８の発明は、請求項７記載のバインダーの開放防止装置において、開口部分の側面板、及び背と表表紙の間の部分、背と裏表紙の間の部分に手で保持するための孔が設けられたことを特徴とする、バインダーの開放防止装置としている。
請求項９の発明は、請求項７記載のバインダーの開放防止装置において、開口部分の側面板の外側にカバー面板が設けられ、該カバー面板のＣ形クランプに対応する部分にスリットが設けられ、バインダー閉合時にＣ形クランプの上部がカバー面板のスリットを通過して更に表表紙のスリットを通過した後、固定されることを特徴とする、バインダーの開放防止装置としている。
請求項１０の発明は、請求項７記載のバインダーの開放防止装置において、バインダーの表表紙と裏表紙の上下位置に上面板と下面板が設けられ、該上面板と下面板の三辺に内向きに折り曲げ可能な折板が設けられてバインダー閉じ合わせ時に完全な閉合状態を形成することを特徴とする、バインダーの開放防止装置としている。
請求項１１の発明は、請求項７記載のバインダーの開放防止装置において、バインダーのカバー面板と表表紙の大きさが同じとされたことを特徴とする、バインダーの開放防止装置としている。
請求項１２の発明は、請求項７記載のバインダーの開放防止装置において、バインダーのカバー面板に突出するタブが設けられ、側面板とカバー面板の該タブに対応する位置に孔が設けられたことを特徴とする、バインダーの開放防止装置としている。
請求項１３の発明は、請求項７記載のバインダーの開放防止装置において、バインダーのカバー面板のＣ形クランプに対応する部分にスリットと位置決め凸体が設けられ、表表紙の対応位置にもスリットが設けられ、Ｃ形クランプの上部が表表紙のスリットを通過してからカバー面板のスリットを通過した後、位置決め凸体により固定されることを特徴とする、バインダーの開放防止装置としている。
請求項１４の発明は、請求項７記載のバインダーの開放防止装置において、バインダーの表表紙と折板の対応部分に挿入溝と挿入片が設けられたことを特徴とする、バインダーの開放防止装置としている。
請求項１５の発明は、請求項７記載のバインダーの開放防止装置において、バインダーの長いカバー面板と折板の対応部分に挿入溝と挿入片が設けられたことを特徴とする、バインダーの開放防止装置としている。
請求項１６の発明は、請求項７記載のバインダーの開放防止装置において、バインダーの表表紙の内面にポケットとホルダバンドが設けられたことを特徴とする、バインダーの開放防止装置としている。
請求項１７の発明は、請求項７記載のバインダーの開放防止装置において、バインダーの長いカバー面板の内面にポケットとホルダバンドが設けられたことを特徴とする、バインダーの開放防止装置としている。
請求項１８の発明は、請求項７記載のバインダーの開放防止装置において、バインダーの対応する折板の間に連繋紐が設けられたことを特徴とする、バインダーの開放防止装置としている。
請求項１９の発明は、請求項１又は請求項７記載のバインダーの開放防止装置において、バインダーの背に把手が設けられたことを特徴とする、バインダーの開放防止装置としている。
請求項２０の発明は、請求項１又は請求項７記載のバインダーの開放防止装置において、バインダーがポリプロピレン三層発泡板で形成されたことを特徴とする、バインダーの開放防止装置としている。
【発明の効果】
【０００６】
本発明のバインダーの開放防止装置によると、該バインダーは表表紙、背、及び裏表紙を具え、該バインダーの裏表紙の内側側辺部分にＣ形クランプが設けられ、該表表紙の該Ｃ形クランプに対応する部分にスリットが設けられ、該Ｃ形クランプの高さが背の幅より大きく、該スリットの長さがＣ形クランプの外径より小さく、表表紙が閉じられる時、該Ｃ形クランプの上部がスリットの外に露出して固定装置により固定され、該固定装置がスリット内にあって位置決め凸体を具え、該位置決め凸体がＣ形クランプに係合することで、表表紙の任意の開放を防止する機能を達成した。
【発明を実施するための最良の形態】
【０００７】
本発明のバインダーの開放防止装置の第１実施例は図２の立体組合図及び図３の断面組合せ図に示されるようである。バインダー２０には表表紙２１、背２２、及び裏表紙２３が設けられ、該バインダー２０の裏表紙２３の内面にＣ形クランプ２４が設けられ、ファイルデータの挟持に用いられる。本発明の特徴は、該Ｃ形クランプ２４の高さが背２２の幅より大きく、該表表紙２１にあって該Ｃ形クランプ２４に対応する部分にスリット２５が設けられ、該スリット２５の幅とＣ形クランプ２４のロッド径は同じとされ、該スリット２５の長さは該Ｃ形クランプ２４の外径より小さく、表表紙２１が閉じられる時、該Ｃ形クランプ２４の上部がスリット２５より露出し、該スリット２５内に位置決め凸体２６が設けられ、該位置決め凸体２６がＣ形クランプ２４中に圧入され、表表紙２１に固定作用を具備させて任意の開放を防止する。以上の各部品が組み合わされて本発明のバインダーの開放防止装置が形成される。
【０００８】
図４は本発明の第２実施例の立体組合せ図、図５は本発明の第２実施例の断面図である。該バインダー２０は表表紙２１と裏表紙２３の外側に垂直に内向きに折り曲げ可能な側面板２７、２８が延設され、この二つの側面板２７、２８の内、外の対応部分に相互に係合可能な雌形留め具２９と雄形止め具３０が設けられ、バインダー２０が折り畳まれて直方体とされうる。
【０００９】
図６は本発明の第２実施例の折り畳み状態表示図である。バインダー２０が折り畳まれて直方体とされる時、バインダー２０は積み重ねるのに便利である。
【００１０】
図７、８は本発明の第２実施例の手提げ状態表示図である。二つの側面板２７、２８及び表表紙２１、背２２、裏表紙２３の間に複数の孔３１、３２が設けられ、該孔３１、３２によりバインダー２０を手に下げるのに便利である。
【００１１】
図９は本発明の第３実施例の立体組合せ図である。図１０は本発明の第３実施例の断面組合せ図である。バインダー２０はＣ形クランプ２４が裏表紙２３の内面の外側近くに設けられ、並びに裏表紙２３の外側に垂直に内向きに折り曲げ可能な側面板３３が設けられ、且つ該側面板３３の外側に水平に内向きに折り曲げ可能な短いカバー面板３４が設けられ、この短いカバー面板３４の幅はＣ形クランプ２４より大きく、該短いカバー面板３４のＣ形クランプ２４に対応する部分にスリット３５が設けられ、Ｃ形クランプ２４の上部が該スリット３５を通過し、さらに表表紙２１が閉じ合わされて固定され、該表表紙２１に突出するタブ３６が設けられ、該側面板３３と短いカバー面板３４にあって該タブ３６に対応する部分に孔３７が設けられている。
【００１２】
図１１は本発明の第４実施例の立体組合せ図、図１２は本発明の第４実施例の断面組合せ図である。バインダー２０には長さが表表紙２１に等しい長いカバー面板３８が設けられ、並びに長いカバー面板３８の内面にクリップ３９が設けられ、附属ファイルデータを挟持するのに用いられる。
【００１３】
図１３は本発明の第４実施例の閉じ合わされた状態の使用状態表示図である。使用者は先ず長いカバー面板３８を閉じて、Ｃ形クランプ２４の上部にスリット３５を通過させ、更に表表紙２１を閉じ合わせ、Ｃ形クランプ２４の上部をスリット２５より露出させ、スリット２５の位置決め凸体２６を該Ｃ形クランプ２４に圧入し係合させ、これにより表表紙２１を任意に開放できなくすることができる。
【００１４】
図１４、１５は本発明の第４実施例の開放前後の使用状態表示図である。使用者は手で孔３７部分よりタブ３６で表表紙２１を開放することができる。
【００１５】
図１６は本発明の第５実施例の立体組合せ図、図１７は本発明の第５実施例の断面組合せ図である。バインダー２０は裏表紙２３の上、下位置に垂直に内向きに折り曲げ可能な上面板４０と下面板４１が設けられ、該上面板４０と下面板４１の三辺にいずれも内向きに折り曲げ可能な折板４２、４３が設けられ、バインダー２０折り畳み後、完全に閉じた状態を形成できる。
【００１６】
図１８は本発明の第６実施例の立体組合せ図、図１９は本発明の第６実施例の断面組合せ図である。バインダー２０はスリット２５と位置決め凸体２６が短いカバー面板３４のＣ形クランプ２４に対応する部分に設けられ、表表紙２１に対応するスリット３５が設置され、Ｃ形クランプ２４の上部がスリット３５を通過し、さらに短いカバー面板３４を通過して固定され、また、上下両辺の折板４２、４３に挿入溝４４、４５が設けられ、表表紙２１の対応部分に内向きに折り曲げ可能な挿入片４６、４７が設けられ、該挿入片４６、４７が挿入孔４４、４５に挿入されて固定作用を形成し、並びに側面板３３に把手４８が設けられる。
【００１７】
図２０は本発明の第７実施例の立体組合せ図であり、図２１は本発明の第７実施例の断面組合せ図である。バインダー２０は表表紙２１の内面に複数の物品放置用のポケット４９を具えると共に、ペンを差し込めるホルダバンド５０を具えている。
【００１８】
図２２は本発明の第８実施例の立体組合せ図であり、図２３は本発明の第８実施例の断面組合せ図である。バインダー２０は長いカバー面板３８の対応部分に内向きに折り曲げ可能な挿入片４６、４７が設けられ、挿入片４６、４７が上下２辺の折板４２、４３のの対応する挿入溝４４、４５中に挿入されて固定作用を形成する。
【００１９】
図２４は本発明の第９実施例の立体組合せ図であり、図２５は本発明の第９実施例の断面組合せ図である。バインダー２０は長いカバー面板３８の内面に物品放置に供される複数のポケット４９とペンを挿入して保持させることができるホルダバンド５０を具え、また、左右両辺の折板４２、４３に連繋紐５１が設けられて左右両辺の折板４２、４３が外向きに開くのを防止している。
【００２０】
総合すると、本発明の提供するバインダーの開放防止装置は新規性、進歩性、実用性及び産業上の利用価値を有する。
【図面の簡単な説明】
【００２１】
【図１】伝統的なバインダーの立体分解図である。
【図２】本発明の第１実施例の立体組合せ図である。
【図３】本発明の第１実施例の断面組合せ図である。
【図４】本発明の第２実施例の立体組合せ図である。
【図５】本発明の第２実施例の断面組合せ図である。
【図６】本発明の第２実施例の積み重ね状態表示図である。
【図７】本発明の第２実施例の手提げ状態表示図である。
【図８】本発明の第２実施例の手で保持した状態表示図である。
【図９】本発明の第３実施例の立体組合せ図である。
【図１０】本発明の第３実施例の断面組合せ図である。
【図１１】本発明の第４実施例の立体組合せ図である。
【図１２】本発明の第４実施例の断面組合せ図である。
【図１３】本発明の第４実施例の閉じ合わせた状態の使用状態表示図である。
【図１４】本発明の第４実施例の開放前の使用状態表示図である。
【図１５】本発明の第４実施例の開放後の使用状態表示図である。
【図１６】本発明の第５実施例の立体組合せ図である。
【図１７】本発明の第５実施例の断面組合せ図である。
【図１８】本発明の第６実施例の立体組合せ図である。
【図１９】本発明の第６実施例の断面組合せ図である。
【図２０】本発明の第７実施例の立体組合せ図である。
【図２１】本発明の第７実施例の断面組合せ図である。
【図２２】本発明の第８実施例の立体組合せ図である。
【図２３】本発明の第８実施例の断面組合せ図である。
【図２４】本発明の第９実施例の立体組合せ図である。
【図２５】本発明の第９実施例の断面組合せ図である。
【符号の説明】
【００２２】
１０  バインダー                      １１  背
１２  折り線                          １３  折り線
１４  表表紙                          １５  裏表紙
１６  Ｃ形クランプ
２０  バインダー                      ２１  表表紙
２２  背                              ２３  裏表紙
２４  Ｃ形クランプ                    ２５  スリット
２６  位置決め凸体                    ２７  側面板
２８  側面板                          ２９  雌形留め具
３０  雄形止め具                      ３１  孔
３２  孔                              ３３  側面板
３４  短いカバー面板                  ３５  スリット
３６  タブ                            ３７  孔
３８  長いカバー面板                  ３９  クリップ
４０  上面板                          ４１  下面板
４２  折板                            ４３  折板
４４  挿入溝                          ４５  挿入溝
４６  挿入片                          ４７  挿入片
４８  把手                            ４９  ポケット
５０  ホルダバンド                    ５１  連繋紐
【図１】
2005313525.tif 000003
【図２】
2005313525.tif 000004
【図３】
2005313525.tif 000005
【図４】
2005313525.tif 000006
【図５】
2005313525.tif 000007
【図６】
2005313525.tif 000008
【図７】
2005313525.tif 000009
【図８】
2005313525.tif 000010
【図９】
2005313525.tif 000011
【図１０】
2005313525.tif 000012
【図１１】
2005313525.tif 000013
【図１２】
2005313525.tif 000014
【図１３】
2005313525.tif 000015
【図１４】
2005313525.tif 000016
【図１５】
2005313525.tif 000017
【図１６】
2005313525.tif 000018
【図１７】
2005313525.tif 000019
【図１８】
2005313525.tif 000020
【図１９】
2005313525.tif 000021
【図２０】
2005313525.tif 000022
【図２１】
2005313525.tif 000023
【図２２】
2005313525.tif 000024
【図２３】
2005313525.tif 000025
【図２４】
2005313525.tif 000026
【図２５】
2005313525.tif 000027